(57)【要約】【課題】落鉱を適確に回収して、清掃作業の回数を低減するとともに、リクレーマーの稼働率を高める。【解決手段】地上コンベアを跨いで走行する門型可動体の作業床に載置された旋回可動体、旋回可動体に載置された“上記原料を地上コンベアに誘導するシュート”、及び、シュートの上部枠体に、所要の角度範囲で俯仰可能に軸支された“(a)先端に、原料を採取するホイルバケットを備え、採取した原料を、旋回可動体に配置したシュートに投入した後、リターンローラに支持されて巡回する機内コンベアを保持し、反対側に、(b)先端にカウンターウェイトを有するフレームを連結するブーム”を備えるリクレーマーの落鉱回収装置であって、旋回可動体が、機内コンベアの下方に、一端が、旋回可動体の端部で軸支され、他端が、シュートの外壁面に当接して落鉱を回収し、回収した落鉱を、ブームの俯仰に連動して傾動して作業床に流出させる落鉱回収板を備えることを特徴とする。【選択図】図２
2020200143.tif 000002
【特許請求の範囲】
【請求項１】
原料ヤードの原料（鉱石、石炭等）を次工程へ搬送する地上コンベアに平行なレール上を、地上コンベアを跨いで走行する門型可動体、
門型可動体の上に載置された作業床、
作業床の上に旋回可能に載置された、上記原料を地上コンベアに誘導するシュートを備える旋回可動体、及び、
シュートの上部枠体に、所要の角度範囲で俯仰可能に軸支された、(a)先端に、原料を採取するホイルバケットを備え、採取した原料を、旋回可動体に載置したシュートに投入した後、リターンローラに支持されて巡回する機内コンベアを保持し、反対側に、(b)先端にカウンターウェイトを有するフレームを連結するブーム
を備え、
ブームの俯仰、及び、ホイルバケットの回転と機内コンベアの巡回による原料払出しを遠隔制御で行い、原料ヤードの原料を地上コンベアに送り出すリクレーマーの落鉱回収装置であって、
旋回可動体が、機内コンベアの下方に、一端が、旋回可動体の端部で軸支され、他端が、シュートの外壁面に当接して落鉱を回収し、回収した落鉱を、ブームの俯仰に連動して傾動して作業床に流出させる落鉱回収板を備える
ことを特徴とするリクレーマーの落鉱回収装置。
【請求項２】
前記落鉱回収板の断面が樋型であり、桶型上部の幅が、機内コンベアの幅の１．２倍以上であることを特徴とする請求項１に記載のリクレーマーの落鉱回収装置。
【請求項３】
前記落鉱回収板の他端が、シュートの外壁面と摺動しつつ当接を維持する弾性板を備えることを特徴とする請求項１又は２に記載のリクレーマーの落鉱回収装置。
【請求項４】
前記落鉱回収板が、底部に振動機を備えることを特徴とする請求項１〜３のいずれか１項に記載のリクレーマーの落鉱回収装置。
【請求項５】
前記落鉱回収板が、原料の安息角を超える角度以上の範囲で傾動することを特徴とする請求項１〜４のいずれか１項に記載のリクレーマーの落鉱回収装置。
【請求項６】
前記落鉱回収板が、長尺の鎖でブームに連結されていて、払出し作業中は、ブームの俯仰で傾動せず、払出し作業終了後、リクレーマーが走行移動し、ブームが、原料積山を避け得る待機位置まで上昇・旋回・移動する時、上記鎖に牽引されて傾動することを特徴とする請求項１〜５のいずれか１項に記載のリクレーマーの落鉱回収装置。
【請求項７】
前記作業床が、堆積した落鉱を地上コンベアに送出する送出孔と送出管を備えることを特徴とする請求項１〜６のいずれか１項に記載のリクレーマーの落鉱回収装置。
【発明の詳細な説明】
【技術分野】
【０００１】
本発明は、原料ヤードで貯留した原料を連続的に採取するリクレーマーの落鉱回収装置に関する。
【背景技術】
【０００２】
製鉄所等の原料ヤードでは、駆動機構により、俯仰・旋回・走行するリクレーマーを運転制御して、ブームが備えるホイルバケットと機内コンベアで、原料（鉄鉱石、石炭等）を採取して搬送し、原料を下流工程に送り出す。
【０００３】
リクレーマーは、自動で運転制御されている（例えば、特許文献１及び２、参照）が、採取した原料を搬送する機内コンベアが反転して巡回する際、機内コンベアから落下する原料粉（落鉱）が駆動機構の周辺に堆積して、設備故障を誘発する。設備故障が生じると、リクレーマーの稼働率が低下するので、駆動機構の周辺に堆積した落鉱を、定期的に、清掃・除去する必要がある。
【０００４】
近年、微粉原料の取扱量が増大したことで、落鉱の堆積量が増加し、設備故障が頻発する。それ故、リクレーマーの稼働率が低下しないように、堆積した落鉱の清掃作業を頻繁に行う必要があり、このことが、リクレーマーの運転上、重要な課題となっている。
【０００５】
図１に、リクレーマーの概略構造を示す。原料ヤードに、鉱石や石炭等の原料を高炉や焼結工場へ搬送する地上コンベア１が敷設されている。地上コンベア１に平行にレール２が敷設され、レール２上に、門型可動体３が、地上コンベア１を跨いで載置されている。門型可動体３の上には作業床４が載置され、その上に、シュート６を載置する旋回可動体５が、駆動機構（図示なし）で旋回可能に載置されている。
【０００６】
旋回可動体５のシュート６の上部には、先端にホイルバケット７を備えるとともに、ホイルバケット７で採取した原料を搬送する機内コンベア９を保持するブーム８が、所要の角度範囲（図中、右側の一点鎖線矢印の範囲）で俯仰の上下動可能に軸支されている。なお、シュート６の上に、ホイルバケット７と機内コンベア９による原料の採取・搬送を監視する監視室が設けられている。
【０００７】
シュート６は、機内コンベア９で搬送されてくる原料を収容し、該原料を、旋回可動体５の中央部を貫通し、作業床４と門型可動体３の中央に固定したホッパー１０に誘導する。ホッパー１０に誘導された原料は、振動フィーダー１ａ、乗継シュート１ｂを経て、地上コンベア１に落下し、高炉や焼結工場へ搬送される。
【０００８】
ブーム８の反対側には、先端にカウンターウェイト１２を備え、ブーム８の俯仰と連動して、所要の角度範囲（図中、左側の一点鎖線矢印の範囲）で俯仰するフレーム１１が連結されている。
【０００９】
ブーム８は、ジブ１３から延びるフレーム１３ａとフレーム１３ｂで保持され、フレーム１１は、同じく、ジブ１３から延びるフレーム１３ｃとフレーム１３ｄで保持されている。門型可動体の走行、旋回可動体の旋回、ブーム８の俯仰、及び、ホイルバケット７の回転と機内コンベア９の巡回等、リクレーマーの運転は、中央操作室での遠隔自動制御で制御される。
【００１０】
機内コンベア９は、原料をシュート６に投入した後、反転し、リターンローラ９ａに保持されて巡回するが、その際、巡回する機内コンベア９に付着している原料粉が落下する。これが、落鉱の要因である。通常、巡回する機内コンベア９に付着している原料粉がシュート６内に落下するように、ベルトクリーナー（図示なし）が所定の位置に配置されているが、ベルトクリーナーの効果は完全でない。
【００１１】
原料粉が微粉であるほど、ベルトクリーナーの効果は小さく、巡回する機内コンベア９に付着している原料粉は、シュート６の外側で落下し、落鉱として堆積する。シュート６の周辺には、リクレーマーの駆動機構が集中していて、落鉱の堆積は設備故障を誘発するので、適時、落鉱の清掃作業が必要となる。
【００１２】
図１に示すリクレーマーには、落鉱が駆動機構の周辺に堆積しないように、落鉱受板１５が、最初のリターンローラ９ａ’の直下で、シュート６に固定されている。しかし、落鉱受板１５で受け止めた落鉱を長時間放置すると、落鉱の堆積紛が駆動機構の周辺に流れ落ちて堆積し、設備故障を誘発する。
【００１３】
駆動機構の周辺は、通常、清掃作業がし難い場所であり、また、落鉱受板１５を配置しても、落鉱が駆動機構の周辺に堆積することは避けられないので、結局、駆動機構を落鉱から保護し、設備故障を回避することは、現状の設備では十分でない。
【先行技術文献】
【特許文献】
【００１４】
【特許文献１】特開平０１−２４２３２２号公報
【特許文献２】特開平０４−２１７５１８号公報
【発明の概要】
【発明が解決しようとする課題】
【００１５】
リクレーマーの運転において、設備故障の原因である落鉱を完全になくすことは困難であり、落鉱の堆積量が増大して設備故障が発生する前に、落鉱を清掃・除去することが現実的な対策である。
【００１６】
しかし、清掃作業はリクレーマーの運転を休止して行い、また、駆動機構の周辺は、通常、清掃作業がし難い場所であるので、清掃作業の回数が増加すると、清掃コストが増大するとともに、リクレーマーの稼働率が低下する。
【００１７】
さらに、設備故障を誘発する落鉱の堆積量の増大は、清掃コストの増大や、リクレーマーの稼働率の低下だけでなく、整備費・外注費の増大や、焼結鉱の品質低下にも繋がるので、落鉱を効率的に回収し、清掃作業の回数を低減し、リクレーマーの稼働率を阻害しない設備の構築が求められている。
【００１８】
そこで、本発明は、上記要求を踏まえ、リクレーマーの運転において、落鉱が多量に発生する箇所で、落鉱を、駆動機構の周辺に堆積しないように適確に回収して、清掃作業の回数を低減するとともに、リクレーマーの稼働率を高めることを課題とし、該課題を解決する落鉱回収装置を提供することを目的とする。
【課題を解決するための手段】
【００１９】
本発明者らは、上記課題を解決する手段について鋭意検討した。その結果、機内コンベアが反転して、巡回する際、落鉱が大量に発生し易い位置で落鉱を受け止め、リクレーマーの俯仰・旋回と連動して、落鉱を回収し得る装置を配置することを発想した。
【００２０】
本発明は、上記発想に基づいてなされたもので、その要旨は以下のとおりである。
【００２１】
（１）原料ヤードの原料（鉱石、石炭等）を次工程へ搬送する地上コンベアに平行なレール上を、地上コンベアを跨いで走行する門型可動体、
門型可動体の上に配置された作業床、
作業床の上に旋回可能に載置された、上記原料を地上コンベアに誘導するシュートを備える旋回可動体、及び、
シュートの上部枠体に、所要の角度範囲で俯仰可能に軸支された、(a)先端に、原料を採取するホイルバケットを備え、採取した原料を、旋回可動体に配置したシュートに投入した後、リターンローラに支持されて巡回する機内コンベアを保持し、反対側に、(b)先端にカウンターウェイトを有するフレームを連結するブーム
を備え、
ブームの俯仰、及び、ホイルバケットの回転と機内コンベアの巡回による原料払出しを遠隔制御で行い、原料ヤードの原料を地上コンベアに送り出すリクレーマーの落鉱回収装置であって、
旋回可動体が、機内コンベアの下方に、一端が、旋回可動体の端部で軸支され、他端が、シュートの外壁面に当接して落鉱を回収し、回収した落鉱を、ブームの俯仰に連動して傾動して作業床に流出させる落鉱回収板を備える
ことを特徴とするリクレーマーの落鉱回収装置。
【００２２】
（２）前記落鉱回収板の断面が樋型であり、桶型上部の幅が、機内コンベアの幅の１．２倍以上であることを特徴とする前記（１）に記載のリクレーマーの落鉱回収装置。
【００２３】
（３）前記落鉱回収板の他端が、シュートの外壁面と摺動しつつ当接を維持する弾性板を備えることを特徴とする前記（１）又は（２）に記載のリクレーマーの落鉱回収装置。
【００２４】
（４）前記落鉱回収板が、底部に振動機を備えることを特徴とする前記（１）〜（３）のいずれかに記載のリクレーマーの落鉱回収装置。
【００２５】
（５）前記落鉱回収板が、原料の安息角を超える角度以上の範囲で傾動することを特徴とする前記（１）〜（４）のいずれかに記載のリクレーマーの落鉱回収装置。
【００２６】
（６）前記落鉱回収板が、長尺の鎖でブームに連結されていて、払出し作業中は、ブームの俯仰で傾動せず、払出し作業終了後、リクレーマーが走行移動し、ブームが、原料積山を避け得る待機位置まで上昇・旋回・移動する時、上記鎖に牽引されて傾動することを特徴とする前記（１）〜（５）のいずれかに記載のリクレーマーの落鉱回収装置。
【００２７】
（７）前記作業床が、堆積した落鉱を地上コンベアに送出する送出孔と送出管を備えることを特徴とする前記（１）〜（６）のいずれかに記載のリクレーマーの落鉱回収装置。
【発明の効果】
【００２８】
本発明によれば、リクレーマーの運転において、落鉱が多量に発生する箇所で、落鉱を、駆動機構の周辺に堆積しないように適確に回収して、清掃作業の回数を低減するとともに、リクレーマーの稼働率を高めることができる。
【図面の簡単な説明】
【００２９】
【図１】リクレーマーの概略構造を示す図である。
【図２】リクレーマーの旋回部の概略構造を示す図である。
【図３】ブームの俯仰・旋回と落鉱の回収・流出の連携を模式的に示す図である。
【図４】作業床を載置する門型可動体の側面態様を示す図である。
【発明を実施するための形態】
【００３０】
本発明のリクレーマーの落鉱回収装置（以下「本発明装置」ということがある。）は、
原料ヤードの原料（鉱石、石炭等）を次工程へ搬送する地上コンベアに平行なレール上を、地上コンベアを跨いで走行する門型可動体、
門型可動体の上に配置された作業床、
作業床の上に旋回可能に載置された、上記原料を地上コンベアに誘導するシュートを備える旋回可動体、及び、
シュートの上部枠体に、所要の角度範囲で俯仰可能に軸支された、(a)先端に、原料を採取するホイルバケットを備え、採取した原料を、旋回可動体に載置したシュートに投入した後、リターンローラに支持されて巡回する機内コンベアを保持し、反対側に、(b)先端にカウンターウェイトを有するフレームを連結するブーム
を備え、
ブームの俯仰、及び、ホイルバケットの回転と機内コンベアの巡回による原料払出しを遠隔制御で行い、原料ヤードの原料を地上コンベアに送り出すリクレーマーの落鉱回収装置であって、
旋回可動体が、機内コンベアの下方に、一端が、旋回可動体の端部で軸支され、他端が、シュートの外壁面に当接して落鉱を回収し、回収した落鉱を、ブームの俯仰に連動して傾動して作業床に流出させる落鉱回収板を備える
ことを特徴とする。
【００３１】
以下、図面に基づいて本発明装置について説明する。ただし、図面は、本発明装置の一態様を示すものであり、本発明装置は、図面に示す態様に限定されない。
【００３２】
図２に、リクレーマーの旋回部の概略構造を示す。リクレーマーの基本構造は、図１に概略構造を示すリクレーマーと同じであるので、図２において、図１に示す記号と同じ記号の構成部材は、図１に示す構成部材と同じである。
【００３３】
原料ヤードの鉱石や石炭等の原料を次工程へ搬送する地上コンベアに平行なレール上を、地上コンベアを跨いで走行する門型可動体（図１、参照）の上に、作業床４が載置され、作業床４の上には、旋回可動体５が載置され、さらに、旋回可動体５の上に、上記原料を地上コンベアに誘導するシュート６が載置されている。
【００３４】
シュートの上部枠体６ａには、(a)先端に、原料を採取するホイルバケット（図示なし）を備え、採取した原料を、旋回可動体５に配置したシュート６に投入した後、リターンローラ９ａ’、９ａに支持されて巡回する機内コンベア９を保持し、反対側に、(b)先端にカウンターウェイトを有するフレーム（図１、参照）を連結するブーム８が、軸支部材６ｂで、所要の角度範囲で俯仰可能に軸支されている。
【００３５】
なお、旋回可動体５の旋回、ブーム８の俯仰、及び、ホイルバケットの回転と機内コンベアの巡回による原料の採取・搬送作業（払出し作業）は、中央操作室での遠隔操作で制御される（特許文献１及び２、参照）。
【００３６】
機内コンベア９は、原料をシュート６に投下した後、反転して、リターンローラ９ａ’、９ａに支持されて巡回するが、その際、落鉱が生じる。機内コンベア９の反転後、直近のリターンローラ９ａ’までの間で生じる落鉱は、シュート６内に落下するが、リターンローラ９ａ’を過ぎてからの落鉱は、シュート６の外側の旋回可動体５及び作業床４に堆積する。
【００３７】
落鉱は、原料が微粉であるほど、機内コンベア９から落下し難いでの、リターンローラ９ａ’を過ぎてから生じ易い。それ故、旋回可動体５は、機内コンベア９の下方において、シュート６の外側の落鉱が堆積し易い場所に、一端が、旋回可動体５の端部の軸支部１９で軸支され、他端が、シュート６の外壁面に当接し、かつ、ブーム８の俯仰に連動して傾動する落鉱回収板１６を備えている。
【００３８】
即ち、落鉱回収板１６は、リターンローラ９ａ’、９ａに支持されて巡回する機内コンベア９から生じる落鉱を受け止めて回収し、払出し作業の終了後、ブーム８の俯仰・旋回に連動して傾動・移動して、作業床４の特定領域に流出させる機能を有するものである。落鉱回収板１６からの落鉱の流出については後述する。
【００３９】
落鉱回収板１６は、受け止めた落鉱が左右に流出しないように、左右に壁を持たせ、多量の落鉱を保持できる樋型のものが好ましい。桶型上部の幅は、落鉱を確実に受け止める点で、機内コンベア９の幅の１．２倍以上が好ましい。桶型上部の幅の上限は、ブーム８の幅や、他の構成部材の形状・寸法等を考慮して、適宜設定する。
【００４０】
一端が、旋回可動体５の端部の軸支部１９で軸支されて傾動する落鉱回収板１６の他端と、シュート６の外壁面との当接を確実に維持し、落鉱の回収漏れをなくすため、落鉱回収板１６の他端の先端に、シュート６の外壁面に摺動しつつ柔軟に当接する弾性板１７を備えることが好ましい。
【００４１】
落鉱回収板１６の材質は、落鉱の堆積重量に耐える機械強度を有する材質であればよいので、特定の材質に限定されないが、機械強度の点で、金属、特に鋼が好ましい。
【００４２】
弾性板１７の材質は、シュート６の外壁面と摺動しつつ柔軟に当接し、シュート６の外壁面との密着を維持できる弾性を有するものあればく、特定の材質に限定されないが、柔軟性の点で、例えば、ゴム材が好ましい。
【００４３】
落鉱回収板１６は、下ブーム８ａの連結部８ｂに、余裕を持たせた長尺の鎖１８で連結されていて、ブーム８の俯仰に連動して、軸支部１９を支点にして傾動する。最下位にある落鉱回収板１６（図中、落鉱回収板１６（ａ））は、払出し作業中には、落鉱が滑り落ちない傾斜角で静止している。
【００４４】
払出し作業中は、落鉱が落鉱回収板から滑り落ちないで、堆積することが望ましいので、最下位の落鉱回収板１６（ａ）の傾斜角は、原料の安息角未満に設定する。機内コンベアの稼働実績によれば、上記傾斜角は水平〜３０°程度が好ましい。
【００４５】
落鉱回収板１６（ａ）は、長尺の鎖１８で、下ブーム８ａ’の連結部８ｂ’に連結されているので、機内コンベア９の稼働中は、ブーム８の俯仰で傾動しない。即ち、機内コンベアの払出し作業中、落鉱の全ては落鉱回収板１６（ａ）の上に堆積し、落鉱の作業床４への流出は抑制される。
【００４６】
落鉱回収板１６（ａ）は、機内コンベア９の払出し作業の終了後、ブーム８が、中央操作室での遠隔操作で、待機位置（後述する）まで上昇・旋回して移動する間、鎖１８に牽引されて上方に傾動し、落鉱回収板１６（ｂ）を経て、最上位の落鉱回収板１６（ｃ）に達し、落鉱を、作業床に流出させる。落鉱回収板１６（ｃ）の傾斜角は、機内コンベア９で払い出す原料の安息角以上である必要がある。
【００４７】
落鉱回収板１６の底部に、振動機２０を備えることが好ましい。原料が微粉であるほど、落鉱回収板１６に付着して残留する落鉱の量が増加するので、落鉱回収板１６が落鉱回収板１６（ｃ）に達した時、振動機２０を作動して、付着・残留の落鉱を、作業床４に流出させることができる。
【００４８】
図２では、落鉱回収板１６を、余裕を持たせた長尺の鎖１８で、下ブーム８ａの連結部８ｂに連結して、落鉱を回収し、作業床の特定の範囲に流出させる態様を示したが、鎖を用いず、他の手段、例えば、電気的手段を用いて、落鉱回収板の傾動を、ブームの俯仰・旋回に連動させてもよい。落鉱回収板の傾動を、ブームの旋回にも連動させることで、落鉱の作業床上の流出範囲を、更に限定することができる。
【００４９】
次に、払出し作業中及び終了後のブームの俯仰・旋回と落鉱の回収・流出の連携について説明する。
【００５０】
図３に、ブームの俯仰・旋回と落鉱の回収・流出の連携を模式的に示す。図３に示す「払出し旋回範囲」内で、旋回可動体５に載置されたシュート６の上部枠体に軸支されたブーム８の俯仰・旋回により、原料が積山から払い出される。原料の払出し作業中は、前述したように、落鉱は、全て、落鉱回収板上に堆積し、落鉱の作業床４への流出は抑制される。
【００５１】
原料の払出し作業が終了すると、ブーム８は、中央操作室での遠隔操作で、図３に示す「移動時旋回位置」まで旋回して移動する。この間、落鉱回収板は、前述したように、傾動せず、落鉱は、駆動機構の周辺に落下しない。
【００５２】
ブーム８が、旋回して「移動時旋回位置」に達すると、ブーム８は、地上コンベア１の真上の待機位置まで上昇・旋回して移動する。この間、落鉱回収板は、図２に示すように、鎖（図２中、１８）に牽引されて上方に傾動し始める。
【００５３】
ブーム８が、地上コンベア１の真上の待機位置まで上昇・旋回して移動し終わるまでの間、即ち、落鉱回収板が、鎖に牽引されて最上位（傾斜角が原料の安息角以上）に達する（図２中、落鉱回収板１６（ｃ）、参照）までの間、落鉱が落鉱回収板から流出しないことが望ましいが、ブーム８は作業床４の上を上昇・旋回するので、流出したとしても、落鉱は作業床に落下し、清掃作業の負担を増大させない。
【００５４】
ブーム８が、地上コンベア１の真上の待機位置まで上昇・旋回して移動し終わったとき、即ち、落鉱回収板が、鎖に牽引されて最上位（傾斜角が原料の安息角以上）に達したとき（図２中、落鉱回収板１６（ｃ）、参照）、落鉱回収板から落鉱が作業床に設けた送出孔４ａの周辺に集中的に落下して堆積する。送出孔４ａには、落鉱を地上コンベア１に送出する送出管が連結されているが、これについては、図４で説明する。
【００５５】
落鉱は、送出孔４ａの周辺に集中的に落下して堆積するので、作業床の清掃は、落鉱を、送出孔４ａに掃き込めばよく、清掃作業の負担が大きく軽減される。なお、図３には、送出孔が１個の場合を示したが、清掃作業の負担の軽減ため、送出孔を２個以上設けてもよい。
【００５６】
図４に、作業床を載置する門型可動体の側面態様を示す。作業床４に設けた送出孔４ａには、他端の開口が地上コンベアに向く送出管４ｂが連結されている。作業床４で、送出孔４ａに掃き込まれた落鉱は、送出管４ｂから地上コンベア１に落下して回収される。
【実施例】
【００５７】
次に、本発明の実施例について説明するが、実施例での条件は、本発明の実施可能性及び効果を確認するために採用した一条件例であり、本発明は、この一条件例に限定されるものではない。本発明は、本発明の要旨を逸脱せず、本発明の目的を達成する限りにおいて、種々の条件を採用し得るものである。
【００５８】
（実施例）
リクレーマーの旋回部に、落鉱回収装置を配置して（図２、参照）、リクレーマーを運転した。リクレーマーの払出し作業中、落鉱は、落鉱回収装置に落下して堆積し、リクレーマーの旋回部に落鉱の堆積は見られなかった。
【００５９】
また、リクレーマーの払出し作業が終了した時、落鉱回収板から流出し、作業床の送出孔の周辺に落下・堆積した落鉱を、適宜、作業床の送出孔に掃き込んだので（図３と図４、参照）、清掃作業を、負担増なく、迅速に終了することができた。
【産業上の利用可能性】
【００６０】
前述したように、本発明によれば、リクレーマーの運転において、落鉱が多量に発生する箇所で、落鉱を、駆動機構の周辺に堆積しないように適確に回収して、清掃作業の回数を低減するとともに、リクレーマーの稼働率を高めることができる。よって、本発明は、鉄鋼産業に限らず、原料ヤードを必要とする産業おいて利用可能性が高いものである。
【符号の説明】
【００６１】
１    地上コンベア
１ａ    シュート
１ｂ    ホッパー
２    レール
３    門型可動体
４    作業床
４ａ    送出孔
４ｂ    送出管
５    旋回可動体
６    シュート
６ａ    上部枠体
６ｂ    軸支部材
７    ホイルバケット
８    ブーム
８ａ、８ａ’    下ブーム
８ｂ、８ｂ’    連結部
９    機内コンベア
９ａ、９ａ’    リターンローラ
１０    ホッパー
１１    フレーム
１２    カウンターウェイト
１３    ジブ
１３ａ、１３ｂ、１３ｃ、１３ｄ    フレーム
１４    監視室
１５    落鉱受板
１６    落鉱回収板
１６（ａ）、１６（ｂ）、１６（ｃ）    落鉱回収板
１７    弾性板
１８    鎖
１９    軸支部
２０    振動機
【図１】
2020200143.tif 000003
【図２】
2020200143.tif 000004
【図３】
2020200143.tif 000005
【図４】
2020200143.tif 000006